(57)【要約】【課題】ボウル部から排水トラップ管路へ比較的大流量の洗浄水を流入させることができ、汚物の排出性能を向上させることができる水洗大便器を提供する。【解決手段】本発明の水洗大便器１は、汚物受け面１４と、上縁部に位置するリム部１６と、を備えたボウル部８と、貯水タンク４から供給された洗浄水をボウル部に吐水する吐水部１０，２２と、ボウル部の下方にその入口１２ａが接続され汚物を排出する排水トラップ管路１２と、を有し、ボウル部の汚物受け面は、リム部に接続される上方汚物受け面１８と、この上方汚物受け面と排水トラップ管路との間に接続される凹部２０と、を備え、この凹部は、排水トラップ管路に接続されて上方汚物受け面よりも下方に位置する底面２０ａと、この底面と上方汚物受け面の下縁部とを接続する壁面２０ｂと、を備え、この壁面の前側領域Ｒ１は、下方から上方に向って内側に傾斜する傾斜面を形成している。【選択図】図１
2013019242.tif 000002
【特許請求の範囲】
【請求項１】
洗浄水供給手段から供給される洗浄水により便器本体を洗浄して汚物を排出する水洗大便器であって、
汚物受け面と、上縁部に位置するリム部と、を備えたボウル部と、
上記洗浄水供給手段から供給された洗浄水を上記ボウル部に吐水する吐水部と、
上記ボウル部の下方にその入口が接続され汚物を排出する排水トラップ管路と、を有し、
上記ボウル部の汚物受け面は、上記リム部に接続される上方汚物受け面と、この上方汚物受け面と上記排水トラップ管路との間に接続される凹部と、を備え、この凹部は、上記排水トラップ管路に接続されて上記上方汚物受け面よりも下方に位置する底面と、この底面と上記上方汚物受け面の下縁部とを接続する壁面と、を備え、この壁面の前側領域は、下方から上方に向って内側に傾斜する傾斜面を形成していることを特徴とする水洗大便器。
【請求項２】
上記吐水部は、吐水された洗浄水が上記ボウル部の外周側を旋回する旋回流と上記凹部方向に流れる下降流を形成するように、便器本体の横幅方向に長い扁平形状の流路断面を備えた導水路を形成し、この導水路の底面は、上記ボウル部の汚物受け面の凹部側に向かって下り傾斜する傾斜部を備えている請求項１記載の水洗大便器。
【請求項３】
上記ボウル部の汚物受け面は、その凹部の壁面の後側領域が上方から下方に向って内側に傾斜する傾斜面を形成し、上記凹部の壁面の前側領域の傾斜面は、上記凹部の中央よりも前側に位置する壁面に沿って配置されている請求項１又は２に記載の水洗大便器。
【請求項４】
上記ボウル部の汚物受け面は、その凹部の底面が、後方に位置する排水トラップ管路の入口に向って下り傾斜する傾斜面を形成する請求項１乃至３の何れか１項に記載の水洗大便器。
【請求項５】
上記ボウル部の汚物受け面は、その凹部の壁面の前側領域の傾斜面が、便器本体の鉛直面に対して０度よりも大きく且つ１０度以下の傾斜角度をなしている請求項１乃至４の何れか１項に記載の水洗大便器。
【請求項６】
上記ボウル部のリム部は、上記吐水部から上記汚物受け面の上縁に沿って形成されたリム導水路を備え、このリム導水路は、上記吐水部に対して横方向に対向する位置に設けられたガイド部を備え、このガイド部の流路を形成する底面は、上記ボウル部の汚物受け面の凹部側に向かって下り傾斜する傾斜部を備えている請求項１乃至５の何れか１項に記載の水洗大便器。
【請求項７】
上記水洗大便器は、サイホン式便器である請求項１乃至６の何れか１項に記載の水洗大便器。
【発明の詳細な説明】
【技術分野】
【０００１】
本発明は、水洗大便器に係り、特に、洗浄水供給手段から供給される洗浄水により便器本体を洗浄して汚物を排出する水洗大便器に関する。
【背景技術】
【０００２】
従来から、洗浄水供給手段から供給される洗浄水により便器本体を洗浄して汚物を排出する水洗大便器として、例えば、特許文献１に記載されているように、リム吐水部の開口が便器本体の左右方向に長い扁平形状に形成され、且つ、リム吐水部の開口の底面を溜水部側に向かって下り傾斜させることにより、ボウル部の外周側を旋回する旋回流と溜水部方向に流れる下降流を形成するものが知られている。また、このような旋回流は、汚物受け面に付着した汚物等を効果的に溜水部側に誘導するのに対し、下降流は、溜水部表面に浮遊する汚物を排水トラップ管路内へ押し込む流れとなって汚物を排出している。
【先行技術文献】
【特許文献】
【０００３】
【特許文献１】特開２０１０−３１５５１号公報
【発明の概要】
【発明が解決しようとする課題】
【０００４】
しかしながら、上述した特許文献１の水洗大便器においては、近年の水洗大便器の節水化のニーズに伴って便器洗浄に使用する洗浄水量を少なく設定した場合には、ボウル部から排水トラップ管路へ流入する洗浄水の流量も小さくなるため、汚物が十分に排出しきれずに便器本体に残されてしまい、十分な便器洗浄性能と汚物排出機能を得ることができないという問題がある。
【０００５】
そこで、本発明は、上述した従来技術の問題を解決するためになされたものであり、便器洗浄に使用する洗浄水量を少なく設定した場合においても、ボウル部から排水トラップ管路へ比較的大流量の洗浄水を流入させることができ、汚物の排出性能を向上させることができる水洗大便器を提供することを目的としている。
【課題を解決するための手段】
【０００６】
上述した目的を達成するために、本発明は、洗浄水供給手段から供給される洗浄水により便器本体を洗浄して汚物を排出する水洗大便器であって、汚物受け面と、上縁部に位置するリム部と、を備えたボウル部と、上記洗浄水供給手段から供給された洗浄水を上記ボウル部に吐水する吐水部と、上記ボウル部の下方にその入口が接続され汚物を排出する排水トラップ管路と、を有し、上記ボウル部の汚物受け面は、上記リム部に接続される上方汚物受け面と、この上方汚物受け面と上記排水トラップ管路との間に接続される凹部と、を備え、この凹部は、上記排水トラップ管路に接続されて上記上方汚物受け面よりも下方に位置する底面と、この底面と上記上方汚物受け面の下縁部とを接続する壁面と、を備え、この壁面の前側領域は、下方から上方に向って内側に傾斜する傾斜面を形成していることを特徴としている。
このように構成された本発明においては、吐水部から吐水されてボウル部の汚物受け面の凹部内に流れ込んだ洗浄水のうち、凹部底面から凹部壁面の前側領域に向って流れた洗浄水は、凹部壁面の前側領域の傾斜面に沿って下方から上方に且つ凹部の内側に向って流れるため、凹部の外側の上方汚物受け面上を横方向に広がることなく、凹部内を縦方向に旋回する流れを形成する。その後、この縦方向に旋回した洗浄水は、排水トラップ管路の入口に勢いよく流れ込むことにより、排水トラップ管路への比較的大流量の洗浄水を流入させることができるため、汚物の排出性能を向上させることができる。
【０００７】
本発明において、好ましくは、上記吐水部は、吐水された洗浄水が上記ボウル部の外周側を旋流と上記凹部方向に流れる下降流を形成するように、便器本体の横幅方向に長い扁平形状の流路断面を備えた導水路を形成し、この導水路の底面は、上記ボウル部の汚物受け面の凹部側に向かって下り傾斜する傾斜部を備えている。
このように構成された本発明においては、便器本体の横幅方向に長い扁平形状の流路断面を備えた吐水部の導水路からボウル部へ吐水された洗浄水は、ボウル部の外周側（例えば、ボウル部のリム部や上方汚物受け面）を旋回する流れ（旋回流）と、吐水部の導水路の底面の傾斜部によってボウル部の汚物受け面の凹部側に向かう下り傾斜により、ボウル部の汚物受け面の凹部内に向って下降する流れ（下降流）を形成する。その後、ボウル部の汚物受け面の凹部内に流れ込んだ洗浄水のうち、凹部底面から凹部壁面の前側領域に向って流れた洗浄水は、凹部壁面の前側領域の傾斜面に沿って下方から上方に且つ凹部の内側に向って流れるため、凹部の外側の上方汚物受け面上を横方向に広がることなく、凹部内を縦方向に旋回する流れ（縦旋回流）を形成した後、排水トラップ管路の入口に勢いよく流れ込む。このようなボウル部の汚物受け面の凹部内で生ずる洗浄水の縦旋回流と、ボウル部の汚物受け面の上方汚物受け面を旋回する旋回流による相乗効果によって、ボウル部の汚物受け面の凹部内の洗浄水が凹部の外側の上方汚物受け面上を横方向に広がろうとするのを効果的に抑制することができる。また、ボウル部の汚物受け面の凹部から排水トラップ管路への比較的大流量の洗浄水を効果的に流入させることができ、汚物の排出性能をより向上させることができる。
【０００８】
本発明において、好ましくは、上記ボウル部の汚物受け面は、その凹部の壁面の後側領域が上方から下方に向って内側に傾斜する傾斜面を形成し、上記凹部の壁面の前側領域の傾斜面は、上記凹部の中央よりも前側に位置する壁面に沿って配置されている。
このように構成された本発明においては、吐水部の導水路からボウル部の汚物受け面の凹部における壁面の後側領域に吐水された洗浄水は、この凹部の壁面の後側領域における上方から下方に向って内側に傾斜する傾斜面に沿って凹部内に勢いよく流れ込んだ後、排水トラップ管路の入口に勢いよく流れ込む。また、ボウル部の汚物受け面の凹部内に流れ込んだ洗浄水のうち、凹部底面から凹部壁面の前側領域に向って流れた洗浄水は、凹部の中央よりも前側に位置する壁面に沿って配置された傾斜面により下方から上方に且つ内側に向って流れるため、凹部の外側の上方汚物受け面上を横方向に広がることなく、凹部内を縦方向に旋回する流れ（縦旋回流）を形成した後、排水トラップ管路の入口に勢いよく流れ込む。これらの結果、ボウル部の汚物受け面の凹部から排水トラップ管路への比較的大流量の洗浄水をより効果的に流入させることができ、汚物の排出性能をより向上させることができる。
【０００９】
本発明において、好ましくは、上記ボウル部の汚物受け面は、その凹部の底面が、後方に位置する排水トラップ管路の入口に向って下り傾斜する傾斜面を形成する。
このように構成された本発明においては、ボウル部の汚物受け面の凹部内に流れ込んだ洗浄水のうち、凹部底面から凹部壁面の前側領域に向って流れた洗浄水が、凹部壁面の前側領域の傾斜面に沿って下方から上方に且つ凹部の内側に向って流れて縦旋回流を形成した後、排水トラップ管路の入口に流れ込む際、ボウル部の汚物受け面の凹部の底面がその後方に位置する排水トラップ管路の入口に向って下り傾斜しているため、スムーズに排水トラップ管路の入口に流れ込むことができる。したがって、ボウル部の汚物受け面の凹部から排水トラップ管路への比較的大流量の洗浄水をより効果的に流入させることができ、汚物の排出性能をより向上させることができる。
【００１０】
本発明において、好ましくは、上記ボウル部の汚物受け面は、その凹部の壁面の前側領域の傾斜面が、便器本体の鉛直面に対して０度よりも大きく且つ１０度以下の傾斜角度をなしている。
このように構成された本発明においては、ボウル部の汚物受け面の凹部内に流れ込んだ洗浄水のうち、凹部底面から凹部壁面の前側領域に向って流れた洗浄水が、便器本体の鉛直面に対して０度よりも大きく且つ１０度以下の傾斜角度をなしている凹部壁面の前側領域の傾斜面に沿って下方から上方に且つ凹部の内側に向って流れることにより、スムーズに縦旋回流を形成し、排水トラップ管路の入口に流れ込むことができる。したがって、ボウル部の汚物受け面の凹部から排水トラップ管路への比較的大流量の洗浄水をより効果的に流入させることができ、汚物の排出性能をより向上させることができる。
【００１１】
本発明において、好ましくは、上記ボウル部のリム部は、上記吐水部から上記汚物受け面の上縁に沿って形成されたリム導水路を備え、このリム導水路は、上記吐水部に対して横方向に対向する位置に設けられたガイド部を備え、このガイド部の流路を形成する底面は、上記ボウル部の汚物受け面の凹部側に向かって下り傾斜する傾斜部を備えている。
このように構成された本発明においては、吐水部からボウル部のリム部に吐水された洗浄水は、リム導水路に沿って流れた後、ガイド部の底面の傾斜部によりボウル部の汚物受け面の凹部内にガイドされ、リム導水路内の洗浄水を凹部内の縦旋回流と合流させることができる。したがって、排水トラップ管路への比較的大流量の洗浄水を流入させることができるため、汚物の排出性能を向上させることができる。
【００１２】
本発明において、好ましくは、上記水洗大便器は、サイホン式便器である。
このように構成された本発明においては、ボウル部から排水トラップ管路へ流入する洗浄水量を大流量にすることができるため、サイホン式便器の洗浄時のサイホン作用の起動を早めることができ、汚物の排出性能を向上させることができる。
【発明の効果】
【００１３】
本発明の水洗大便器によれば、便器洗浄に使用する洗浄水量を少なく設定した場合においても、ボウル部から排水トラップ管路へ比較的大流量の洗浄水を流入させることができ、汚物の排出性能を向上させることができる。
【図面の簡単な説明】
【００１４】
【図１】本発明の一実施形態による水洗大便器を示す側面断面図である。
【図２】図１に示す水洗大便器の平面図である。
【図３】図２のＩＩＩ−ＩＩＩ線に沿って見た断面図である。
【図４】図２のＩＶ−ＩＶ線に沿って見た断面図である。
【図５】図２のＶ−Ｖ線に沿って見た断面図である。
【図６】図１に示す本発明の一実施形態による水洗大便器のＡ部拡大図である。
【図７】図１のＶＩＩ−ＶＩＩ線に沿って見た断面図である。
【図８】図７に示す本発明の一実施形態による水洗大便器のＢ部拡大図である。
【図９】図７に示す本発明の一実施形態による水洗大便器のＣ部拡大図である。
【図１０】図１のＸ−Ｘ線に沿って見た断面図である。
【図１１】図１０に示す本発明の一実施形態による水洗大便器のＤ部拡大図である。
【図１２】図１０に示す本発明の一実施形態による水洗大便器のＥ部拡大図である。
【図１３】図２のＸＩＩＩ−ＸＩＩＩ線に沿って見た断面図である。
【図１４】図２のＸＩＶ−ＸＩＶ線に沿って見た断面図である。
【図１５】図２のＸＶ−ＸＶ線に沿って見た断面図である。
【図１６】本発明の一実施形態による水洗大便器における洗浄水の流れの様子を示す概略斜視図である。
【発明を実施するための形態】
【００１５】
以下、本発明の一実施形態による水洗大便器について添付図面を参照して説明する。
図１は本発明の一実施形態による水洗大便器を示す側面断面図であり、図２は図１に示す水洗大便器の平面図である。
図１及び図２に示すように、本発明の一実施形態による水洗大便器１は、サイホン作用を利用してボウル部内の汚物を吸い込んで排水トラップ管路から一気に外部に排出する、いわゆる、サイホン式の水洗大便器であり、便器本体２と、この便器本体２の後部に取り付けられた洗浄水を貯水して給水する洗浄水供給手段である重力給水式の貯水タンク４とを備えている。
【００１６】
また、貯水タンク４には排水弁６が設けられ、この排水弁６が開弁すると、貯水タンク４内に貯水されている洗浄水が便器本体２に供給されるようになっている。
便器本体２の前方上部にはボウル部８が形成され、便器本体２の後方上部には、貯水タンク４から供給された洗浄水をボウル部８に吐水する吐水部である導水路１０が形成され、さらに、ボウル部８の下方には排水トラップ管路１２が形成されている。
【００１７】
ボウル部８は、汚物受け面１４と、その上縁部に形成されたリム部１６を備え、このリム部１６は、その内周面が、洗浄水が外に飛び出さないようにオーバーハングした形状を形成しており、リム部１６の周方向に沿って形成されたリム導水路１６ａの内側が開放されている、いわゆる、オープンリムタイプの形態となっている。
【００１８】
また、ボウル部８の汚物受け面１４は、リム部１６に接続される上方汚物受け面１８と、この上方汚物受け面１８と排水トラップ管路１２との間に接続される凹部２０を備えている。
さらに、ボウル部８の汚物受け面１４の凹部２０は、詳細は後述するが、排水トラップ管路１２に接続されて上方汚物受け面１８よりも下方に位置する底面２０ａと、この底面２０ａと上方汚物受け面１８の下縁部１８ａとを接続する壁面２０ｂと、を備え、この壁面２０ｂの前側領域Ｒ１は、下方から上方に向って内側に傾斜する傾斜面を形成している。
【００１９】
また、ボウル部８の汚物受け面１４の凹部２０の後方且つ下方には、上述した排水トラップ管路１２の入口１２ａが開口し、この入口１２ａから上昇路１２ｂが後方に延びている。この上昇路１２ｂには下降路１２ｃが連続し、下降路１２ｃの下端は排水ソケット（図示せず）を介して床下の排出管（図示せず）に接続されている。
【００２０】
なお、本実施形態の水洗大便器１においては、排水トラップ管路１２の下降路１２ｃの下端が床下の排出管（図示せず）に接続されている床排水形の水洗大便器を一例として説明しているが、このような形態に限定されず、下降路１２ｃの末端が水洗大便器の後壁側に配置されて床上の排出管と接続される床上排水形の大便器においても適用可能である。また、ボウル部８に対して洗浄水を供給する給水源は、本実施形態で示した重力給水式のタンク構造だけでなく、水道水の直接給水圧を利用したものであったり、ポンプで補圧されるような構造であってもよい。
【００２１】
図２に示すように、ボウル部８の前方から見て左側の後部には、上述した導水路１０内の洗浄水がボウル部８側へ吐水される吐水口２２が形成されている。
貯水タンク４内の洗浄水は、図２に流れＦ０で示されているように、貯水タンク４の底面に配置されている洗浄水流出口４ａから導水路１０を経て、吐水口２２から便器前方方向に向って吐水されるようになっている。また、吐水口２２から吐水された洗浄水は、リム導水路１６ａに沿って旋回する流れＦ１（旋回流Ｆ１）とボウル部８の上方汚物受け面１８上に沿って旋回する流れＦ２（旋回流Ｆ２）を形成すると共に、吐水口２２からボウル部８の汚物受け面１４の凹部２０内に向かって吐水されることにより、下降する流れＦ３（下降流Ｆ３）を形成するようになっている。
【００２２】
つぎに、図１〜図５により、上述した導水路１０及び吐水口２２（吐水部）とリム導水路１６ａについて詳細に説明する。
図３は、図２のＩＩＩ−ＩＩＩ線に沿って見た断面図である。また、図４は、図２のＩＶ−ＩＶ線に沿って見た断面図である。さらに、図５は、図２のＶ−Ｖ線に沿って見た断面図である。
【００２３】
まず、図２及び図３に示すように、導水路１０においては、貯水タンク４の洗浄水流出口４ａに接続される入口部１０ａから外側斜め前方に所定距離延びた位置で吐水口２２に向けて偏向されるコーナー部１０ｂが形成されている。導水路１０の入口部１０ａからコーナー部１０ｂまでの区間における流路断面Ｓ１は左右方向に長い扁平形状となっている。
なお、本実施形態では、導水路１０の入口部１０ａからコーナー部１０ｂにかけての全領域における各横断面（流路断面）の形状を左右方向に長い扁平形状としているが、この左右方向に長い扁平形状の流路断面Ｓ１は、導水路１０の入口部１０ａからコーナー部１０ｂにかけての全領域のうちの一部に形成されているものでもよく、要するに、少なくとも吐水口２２に整流された洗浄水が供給されるために必要な領域に形成されていればよい。
【００２４】
また、図２及び図４に示すように、導水路１０のコーナー部１０ｂから吐水口２２にかけての区間の流路断面Ｓ２は、左右方向に長い扁平形状であり且つその底面１０ｃがボウル部８の汚物受け面１４の凹部２０に向かって下り傾斜した形状となっている。
【００２５】
さらに、導水路１０のコーナー部１０ｂから吐水口２２までの区間における扁平形状の流路断面Ｓ２は、上流側から下流側に向ってほぼ相似形で拡大されている。すなわち、導水路１０のコーナー部１０ｂから吐水口２２までの区間の流路断面Ｓ２の断面積は、下流側に行くに従って徐々に広くなっており、吐水口２２で最大となっている。
ここで、図４に示すように、一例として、導水路１０の扁平形状の流路断面Ｓ２は、その縦短辺ａと横長辺ｂの比ａ／ｂが０．３〜０．５になるように設定されているのが好ましく、その値はボウル部８の形状に合わせて調整される。
また、吐水口２２において、ボウル部８の汚物受け面１４の凹部２０側に向かって下り傾斜した底面１０ｃと内側面１０ｄがなす角度αは６０°〜７０°に設定するのが好ましく、その値はボウル部８の形状に合わせて調整される。
【００２６】
さらに、図２及び図５に示すように、吐水口２２よりも前方側に位置するリム部１６のリム導水路１６ａは、ほぼ全域に亘って、その底面１６ｂが、吐水口２２の底面１０ｃと同様に、ボウル部８の汚物受け面１４の凹部２０側に向かって下り傾斜している。吐水口２２からリム導水路１６ａ内に流れ込んだ洗浄水は、リム導水路１６ａ内に沿って流れＦ１で流れると共に、その一部がボウル部８の汚物受け面１４の凹部２０内に向かって流れＦ３で流れるようになっている。
【００２７】
また、リム導水路１６ａは、吐水口２２に対して横方向に対向する位置にガイド部１６ｃ（詳細は後述する）が設けられている。
【００２８】
つぎに、図１、図２及び図６〜図１２により、ボウル部８の汚物受け面１４の凹部２０について詳細に説明する。
図６は、図１に示す本発明の一実施形態による水洗大便器のＡ部拡大図である。
また、図７は図１のＶＩＩ−ＶＩＩ線に沿って見た断面図であり、図８は図７に示す本発明の一実施形態による水洗大便器のＢ部拡大図であり、図９は図７に示す本発明の一実施形態による水洗大便器のＣ部拡大図である。
さらに、図１０は図１のＸ−Ｘ線に沿って見た断面図であり、図１１は図１０に示す本発明の一実施形態による水洗大便器のＤ部拡大図であり、図１２は図１０に示す本発明の一実施形態による水洗大便器のＥ部拡大図である。
【００２９】
図１及び図６に示すように、ボウル部８の汚物受け面１４の凹部２０は、排水トラップ管路１２に接続されて上方汚物受け面１８よりも下方に位置する底面２０ａと、この底面２０ａと上方汚物受け面１８の下縁部１８ａとを接続する壁面２０ｂを備えている。
また、凹部２０の底面２０ａは、後方に位置する排水トラップ管路１２の入口１２ａに向って下り傾斜する傾斜面を形成している。
【００３０】
さらに、図１、図２及び図６に示すように、少なくとも凹部２０の中央部Ｍよりも前側に位置する壁面２０ｂの領域Ｒ１（以下「前側領域Ｒ１」）は、下方から上方に向って内側（凹部２０の内方）に傾斜する傾斜面を形成している。吐水口２２から凹部２０内に流れ込んだ洗浄水は、凹部２０の底面２０ａから凹部２０の壁面２０ｂの前側領域Ｒ１に向って流れ、壁面２０ｂの傾斜面に沿って下方から上方に且つ凹部２０の内側に向って流れることにより、凹部２０の横方向に広がることなく、縦方向に旋回する流れＦ４（縦旋回流）を形成した後、排水トラップ管路１２の入口１２ａに勢いよく流れ込むようになっている。
【００３１】
一方、凹部２０の後方側の壁面２０ｂを形成する領域Ｒ２（以下「後側領域Ｒ２」）は、上方から下方に向って内側に傾斜する傾斜面を形成している。吐水口２２から吐水された洗浄水は、上方汚物受け面１８上に沿って旋回する旋回流Ｆ１，Ｆ２又は吐水口２２からの下降流Ｆ３を形成した後、凹部２０の後方側の壁面２０ｂに到達したすると、凹部２０内に向かって流れＦ５を形成して勢いよく流れ込み、排水トラップ管路１２の入口１２ａに勢いよく流れ込むようになっている。
【００３２】
つぎに、図１及び図６〜図９に示すように、に示すように、凹部２０の壁面２０ｂの前側領域Ｒ１の傾斜面は、前側領域Ｒ１の壁面２０ｂの周方向に沿って且つ下方から上方に向って内側（凹部２０の内方）に傾斜するように、便器本体２の鉛直面Ｐ１に対して所定の傾斜角度βで傾斜している。
ここで、傾斜角度βについては、０度よりも大きく且つ１５度以下に設定することが好ましく、０度よりも大きく且つ１０度以下に設定することが最も好ましい。
【００３３】
同様に、図１０〜図１２に示すように、凹部２０の壁面２０ｂの前側領域Ｒ１と後側領域Ｒ２との間の中間領域Ｒ３における壁面２０ｂは、前側領域Ｒ１の壁面２０ｂと同様に、下方から上方に向って内側（凹部２０の内方）に傾斜するように、便器本体２の鉛直面Ｐ１に対して所定の傾斜角度βで傾斜している。
なお、この中間領域Ｒ３の壁面２０ｂについては、傾斜させないような設定（傾斜角度β＝０度）に設定してもよい。
また、凹部２０の前側領域Ｒ１と中間領域Ｒ３の壁面２０ｂの傾斜角度βについては、壁面２０ｂの周方向に沿って一定の角度に設定することに限られず、０度よりも大きく且つ１０度以下の所定の角度の範囲内で壁面２０ｂの周方向に沿って連続的に変化させてもよい。
【００３４】
つぎに、図２及び図１３〜図１５により、リム部１６のリム導水路１６ａのガイド部１６ｃについて詳細に説明する。
リム部１６のリム導水路１６ａのガイド部１６ｃは、吐水口２２に対して横方向に対向するリム導水路１６ａ内の下流端側（後方側）に配置されている。このガイド部１６ｃにおける流路１６ｄを形成する底面は、ボウル部８の汚物受け面１４の凹部２０側に向かって下り傾斜する傾斜面１６ｅを形成している。
また、図１３に示す上流側から図１４に示す中間を経て図１５に示す下流側に進みにつれて、ガイド部１６ｃの傾斜面１６ｅでは、凹部２０側への下り傾斜が大きくなっており、ガイド部１６ｃの流路断面Ｓ３の断面積が下流側に進むにつれて徐々に小さくなっている。
【００３５】
吐水口２２からリム導水路１６ａに吐水され、旋回流Ｆ１を形成してガイド部１６ｃに到達した洗浄水は、ガイド部１６ｃの傾斜面１６ｅに沿って流れることにより、凹部２０側への下り傾斜する流れＦ６（下降流Ｆ６）を形成して凹部２０内にガイドされるようになっている。また、この下降流Ｆ６は、凹部２０内の縦旋回流Ｆ４と合流することにより、排水トラップ管路１２の入口１２ａに勢いよく流れ込む（図１の流れＦ７参照）となるようになっている。
【００３６】
つぎに、図１〜図１６により、本発明の一実施形態による水洗大便器の作用（動作）を説明する。
図１６は、本発明の一実施形態による水洗大便器における洗浄水の流れの様子を示す概略斜視図である。
最初に、便器洗浄のための操作レバー（図示せず）を操作すると、貯水タンク４に設けられた排水弁６が開き、貯水タンク４内の洗浄水が洗浄水流出口４ａより導水路１０の入口部１０ａに流入し、導水路１０のコーナー部１０ｂを経て（矢印Ｆ１参照）、吐水口２２から吐水される。この際、導水路１０の入口部１０ａからコーナー部１０ｂまでの区間における断面が左右方向に長い扁平形状となっているため、この区間の導水路１０を流れる洗浄水は、導水路１０の扁平部分にて扁平状態の洗浄水流となって整流され、吐水口２２から吐水される際には、上下方向に広がらずに左右方向に広がりのある扁平状態の吐水形態をとる。
【００３７】
また、吐水口２２から吐水される洗浄水は、吐水口２２からリム部１６と汚物受け面１４の間の内周面上に便器前方方向に吐水されて水平方向の流れとなり、ボウル部８の外周側であるリム導水路１６ａを旋回する旋回流Ｆ１と上方汚物受け面１８を旋回する旋回流Ｆ２を形成すると共に、吐水口２２の底面１０ｃ及びリム導水路１６ａの底面１６ｂに沿って凹部２０側に向かって下り傾斜して落下する下降流Ｆ３を形成する。
【００３８】
さらに、吐水口２２から凹部２０内に流れ込んだ洗浄水は、凹部２０の底面２０ａから凹部２０の壁面２０ｂの前側領域Ｒ１に向って流れ、壁面２０ｂの傾斜面に沿って下方から上方に且つ凹部２０の内側に向って流れることにより、凹部２０の横方向に広がることなく、縦方向に旋回する流れＦ４（縦旋回流）を形成する。その後、この縦旋回流Ｆ４は、排水トラップ管路１２の入口１２ａに勢いよく流れ込む。
【００３９】
一方、旋回流Ｆ２は、ボウル部８の上方汚物受け面１８の後方側付近まで旋回すると、凹部２０内に向かって落下する流れＦ５となる。
また、吐水口２２からリム導水路１６ａに沿って流れてガイド部１６ｃに到達した旋回流Ｆ１は、ガイド部１６ｃの傾斜面１６ｅに沿って流れ、凹部２０内に向けて下り傾斜した流れＦ６となる。
さらに、この下降流Ｆ６は、凹部２０内の縦旋回流Ｆ４と合流することにより、排水トラップ管路１２の入口１２ａに勢いよく流れ込む流れＦ７となる。
このとき、排水トラップ管路１２の入口１２ａに流れ込む前に凹部２０の中央部Ｍの付近に集まった汚物は、サイホンの吸引力と、排水トラップ管路１２の入口１２ａに向かう流れＦ７で押し込まれる押し込み力により、効果的に排水トラップ管路１２の入口１２ａに送りこまれることになる。
【００４０】
上述した本発明の一実施形態による水洗大便器１によれば、吐水口２２から吐水されてボウル部８の汚物受け面１４の凹部２０内に流れ込んだ洗浄水のうち、凹部２０の底面２０ａから凹部２０の壁面２０ｂの前側領域Ｒ１に向って流れた洗浄水は、凹部２０の壁面２０ｂの前側領域Ｒ１の傾斜面に沿って下方から上方に且つ凹部２０の内側に向って流れるため、凹部２０の外側の上方汚物受け面１８上を横方向に広がることなく、凹部２０内を縦方向に旋回する流れ（縦旋回流）Ｆ４を形成する。その後、この縦方向に旋回した洗浄水は、排水トラップ管路１２の入口１２ａに勢いよく流れ込むことにより、排水トラップ管路１２への比較的大流量の洗浄水を流入させることができるため、汚物の排出性能を向上させることができる。
【００４１】
また、本実施形態による水洗大便器１によれば、便器本体２の横幅方向に長い扁平形状の流路断面Ｓ１を備えた導水路１０からボウル部８へ吐水された洗浄水は、ボウル部の外周側（例えば、ボウル部８のリム導水路１６ａや上方汚物受け面１８）を旋回する流れＦ１，Ｆ２を形成すると共に、導水路１０の傾斜した底面１０ｃがボウル部８の汚物受け面１４の凹部２０側に向かって下り傾斜することによって、ボウル部８の汚物受け面１４の凹部２０内に向って下降する流れＦ３（下降流）を形成する。その後、ボウル部８の汚物受け面１４の凹部２０内に流れ込んだ洗浄水のうち、凹部２０の底面２０ａから壁面２０ｂの前側領域Ｒ１に向って流れた洗浄水は、凹部２０の壁面２０ｂの前側領域Ｒ１の傾斜面に沿って下方から上方に且つ凹部２０の内側に向って流れるため、凹部２０の外側の上方汚物受け面１８上を横方向に広がることなく、凹部２０内を縦方向に旋回する流れＦ４（縦旋回流）を形成した後、排水トラップ管路１２の入口１２ａに勢いよく流れ込むことができる。このようなボウル部８の汚物受け面１４の凹部２０内で生ずる洗浄水の縦旋回流Ｆ４と、ボウル８部の汚物受け面１４の上方汚物受け面１８を旋回する旋回流Ｆ２による相乗効果によって、ボウル部８の汚物受け面１４の凹部２０内の洗浄水が凹部２０の外側の上方汚物受け面１８上を横方向に広がろうとするのを効果的に抑制することができる。また、ボウル部８の汚物受け面１４の凹部２０から排水トラップ管路１２への比較的大流量の洗浄水を効果的に流入させることができ、汚物の排出性能をより向上させることができる。
【００４２】
さらに、本実施形態による水洗大便器１によれば、導水路１０の吐水口２２からボウル部８の汚物受け面１４の凹部２０における壁面２０ｂの後側領域Ｒ２に吐水された洗浄水は、この凹部２０の壁面２０ｂの後側領域Ｒ２における上方から下方に向って内側に傾斜する傾斜面に沿って凹部２０内に勢いよく流れ込んだ後（流れＦ３，Ｆ５参照）、排水トラップ管路１２の入口１２ａに勢いよく流れ込むことができる。また、ボウル部８の汚物受け面１４の凹部２０内に流れ込んだ洗浄水のうち、凹部２０の底面２０ａから凹部２０の壁面２０ｂの前側領域Ｒ１に向って流れた洗浄水は、凹部２０の中央部Ｍよりも前側に位置する壁面２０ｂに沿って配置された傾斜面により下方から上方に且つ内側に向って流れるため、凹部２０の外側の上方汚物受け面１８上を横方向に広がることなく、凹部２０内を縦方向に旋回する流れＦ４（縦旋回流）を形成した後、排水トラップ管路１２の入口１２ａに勢いよく流れ込む。これらの結果、ボウル部８の汚物受け面１４の凹部２０から排水トラップ管路１２への比較的大流量の洗浄水をより効果的に流入させることができ、汚物の排出性能をより向上させることができる。
【００４３】
また、本実施形態による水洗大便器１によれば、ボウル部８の汚物受け面１４の凹部２０内に流れ込んだ洗浄水のうち、凹部２０の底面２０ａから壁面２０ｂの前側領域Ｒ１に向って流れた洗浄水が、凹部２０の壁面２０ｂの前側領域Ｒ１の傾斜面に沿って下方から上方に且つ凹部２０の内側に向って流れて縦旋回流Ｆ４を形成した後、排水トラップ管路１２の入口１２ａに流れ込む際、ボウル部８の汚物受け面１４の凹部２０の底面２０ａがその後方に位置する排水トラップ管路１２の入口１２ａに向って下り傾斜しているため、スムーズに排水トラップ管路１２の入口１２ａに流れ込むことができる。したがって、ボウル部８の汚物受け面１４の凹部２０から排水トラップ管路１２への比較的大流量の洗浄水をより効果的に流入させることができ、汚物の排出性能をより向上させることができる。
【００４４】
さらに、本実施形態による水洗大便器１によれば、ボウル部８の汚物受け面１４の凹部２０内に流れ込んだ洗浄水のうち、凹部２０の底面２０ａから壁面２０ｂの前側領域Ｒ１に向って流れた洗浄水が、便器本体２の鉛直面Ｐ１に対して０度よりも大きく且つ１０度以下の傾斜角度βをなしている凹部２０の壁面２０ｂの前側領域Ｒ１の傾斜面に沿って下方から上方に且つ凹部２０の内側に向って流れることにより、スムーズに縦旋回流Ｆ４を形成し、排水トラップ管路１２の入口１２ａに流れ込むことができる。したがって、ボウル部８の汚物受け面１４の凹部２０から排水トラップ管路１２への比較的大流量の洗浄水をより効果的に流入させることができ、汚物の排出性能をより向上させることができる。
【００４５】
また、本実施形態による水洗大便器１によれば、吐水口２２からボウル部８のリム部１６に吐水された洗浄水は、リム導水路１６ａに沿って流れた後、ガイド部１６ｃの底面の傾斜面１６ｅによりボウル部８の汚物受け面１４の凹部２０内にガイドされて、凹部２０側へ下り傾斜する下降流Ｆ６となり、凹部２０内で縦旋回流Ｆ４と合流することができる。したがって、凹部２０から排水トラップ管路１２への比較的大流量の洗浄水を流れＦ７として流入させることができるため、汚物の排出性能を向上させることができる。
【００４６】
また、本実施形態による水洗大便器１によれば、ボウル部８の凹部２０から排水トラップ管路１２へ流入する洗浄水量を大流量にすることができるため、サイホン式便器の洗浄時のサイホン作用の起動を早めることができ、汚物の排出性能を向上させることができる。
【００４７】
なお、上述した本実施形態による水洗大便器１においては、例として、サイホン式の水洗大便器に適用した形態について説明しているが、このような形態に限定されず、他の水洗大便器の形態についても適用可能である。
例えば、ボウル部内の水の落差による流水作用で汚物を押し流す、いわゆる、洗い落し式の水洗大便器等、サイホン式の水洗大便器以外の便器形態についても適用可能である。また、ボウル部の溜水部の上方位置に、貯水タンクから導水路を経て供給される洗浄水を吐水するゼット吐水口を形成し、このゼット吐水口から吐水される洗浄水が溜水部の溜水を上下方向に旋回させる旋回流を生じさせるような水洗大便器に適用可能である。この場合、ゼット吐水口から吐水され上下方向に旋回する旋回流が、凹部壁面の傾斜面に沿って下方から上方に且つ凹部の内側に向って流れるため、凹部内を縦方向に旋回する流れを形成する。その後、この縦方向に旋回した洗浄水は、排水トラップ管路の入口に勢いよく流れ込むことにより、排水トラップ管路への比較的大流量の洗浄水を流入させることができるため、汚物の排出性能を向上させることができる。
【００４８】
また、上述した本実施形態による水洗大便器１のリム部１６においては、例として、リム部１６の内周面が、洗浄水が外に飛び出さないようにオーバーハングした形状を形成し、リム部１６の周方向に沿って形成されたリム導水路１６ａの内側が開放されている、いわゆる、オープンリムタイプの形態について説明したが、このような形態に限定されず、他の形態についても適用可能である。すなわち、リム部の他の形態としては、リム部のオーバーハングした形状の縁部分を省略した、いわゆる、縁なし形態のリム部の形態であってもよい。或いは、リム部の周面に沿って形成された閉じたボックス形状の通水路に多数の水出し穴を設け、この水出し穴から落下吐水させる、いわゆる、ボックスリムタイプの形態についても適用可能である。
【符号の説明】
【００４９】
１    水洗大便器
２    便器本体
４    貯水タンク
４ａ  洗浄水流出口
６    排水弁
８    ボウル部
１０    導水路（吐水部）
１０ａ  導水路の入口部
１０ｂ  導水路のコーナー部
１０ｃ  導水路の底面（吐水口の底面）
１０ｄ  導水路の内側面（吐水口の内側面）
１２    排水トラップ管路
１２ａ  排水トラップ管路の入口
１４    汚物受け面
１６    リム部
１６ａ  リム導水路
１６ｂ  リム導水路の底面
１６ｃ  リム導水路のガイド部
１６ｄ  リム導水路のガイド部の流路
１６ｅ  リム導水路のガイド部の傾斜面
１８    上方汚物受け面
１８ａ  上方汚物受け面の下縁部
２０    凹部
２０ａ  凹部の底面
２０ｂ  凹部の壁面
２２    吐水口（吐水部）
【図１】
2013019242.tif 000003
【図２】
2013019242.tif 000004
【図３】
2013019242.tif 000005
【図４】
2013019242.tif 000006
【図５】
2013019242.tif 000007
【図６】
2013019242.tif 000008
【図７】
2013019242.tif 000009
【図８】
2013019242.tif 000010
【図９】
2013019242.tif 000011
【図１０】
2013019242.tif 000012
【図１１】
2013019242.tif 000013
【図１２】
2013019242.tif 000014
【図１３】
2013019242.tif 000015
【図１４】
2013019242.tif 000016
【図１５】
2013019242.tif 000017
【図１６】
2013019242.tif 000018